(57)【特許請求の範囲】
【請求項１】
左右方向に配列された複数個の入球口（２５）と、前記各入球口（２５）に入球した遊技球を遊技盤（４）の裏側へと案内する複数個の案内通路（３４）と、前記各入球口（２５）に対応して設けられ且つ該入球口（２５）に入球した遊技球を検出する複数個の入球検出手段（３６）とを含む多連入球口手段（１７）を前記遊技盤（４）に備えた組み合わせ遊技機において、前記各入球口（２５）、前記案内通路（３４）及び前記入球検出手段（３６）が設けられ且つ少なくとも一部が前記遊技盤（４）の装着孔（２６）に前側から着脱自在に嵌合する本体（２７）と、前記遊技盤（４）の前側に配置され且つ前記本体（２７）を前側から覆う前カバー（２８）とを備え、前記本体（２７）は、該本体（２７）内からの配線を前記遊技盤（４）の裏側へと挿通する配線ダクト（３８）と、該本体（２７）の左右両側の側壁部（４３）及び下壁部（４４）の前側から外側へと屈曲して前記遊技盤（４）に前側から当接する前壁部（４６）と、該前壁部（４６）の周囲から前側に突出する補強枠部（４７）とを一体に備え、前記前壁部（４６）の左右両側及び中央部の複数箇所に、前記前壁部（４６）から後方に突出し且つ前記遊技盤（４）の圧入孔（６８）に前側から圧入される圧入ピン（６７）と、前記前壁部（４６）から前方に突出し且つ前記前カバー（２８）がネジ（７２）により取り付けられるボス部（７３）とを前後に対応させて前記前壁部（４６）と一体に形成し、前記多連入球口手段（１７）を前記遊技盤（４）に前側から装着したことを特徴とする組み合わせ遊技機。
【請求項２】
前記本体（２７）は、前側から凹入する内部空間（４１）を有し且つ前記装着孔（２６）に嵌合する嵌合胴部（４２）（４３）と、該嵌合胴部（４２）（４３）の後側を塞ぐ後壁部（４５）と、前記嵌合胴部（４２）（４３）の前側から外側に屈曲し且つ前記遊技盤（４）の前側に当接する前壁部（４６）とを一体に備えたことを特徴とする請求項１に記載の組み合わせ遊技機。
【請求項３】
前記多連入球口手段（１７）は入球表示手段（２９）を備え、該入球表示手段（２９）は、前記各入球口（２５）に対応して前記前カバー（２８）に設けられた複数個の入球表示部（７５）と、該各入球表示部（７５）に対応してその裏側に配置された複数個の入球表示素子（７６）と、該各入球表示素子（７６）が設けられ且つ前記本体（２７）に装着された入球表示基板（７７）とを備えたことを特徴とする請求項１又は２に記載の組み合わせ遊技機。
【請求項４】
前記多連入球口手段（１７）は得点表示手段（３０）を備え、該得点表示手段（３０）は、前記前カバー（２８）に設けられた得点表示部（８３）と、該得点表示部（８３）に対応してその裏側に配置された得点表示素子（８４）と、該得点表示素子（８４）が設けられ且つ前記本体（２７）に装着された得点表示基板（８５）とを備えたことを特徴とする請求項１〜３の何れかに記載の組み合わせ遊技機。
【請求項５】
前記嵌合胴部（４２）（４３）の上側に前記各入球口（２５）と該各入球口（２５）に対応する前記案内通路（３４）とを前後方向に設け、前記各案内通路（３４）に対応して前記各入球検出手段（３６）を前記後壁部（４５）に設けたことを特徴とする請求項２に記載の組み合わせ遊技機。
【請求項６】
前記前カバー（２８）は、入球口列（６１）の左右両側に設けられ且つ遊技球を前記入球口列（６１）側に案内する転動部（６５）と、前記本体（２７）を前側から覆う前装飾部（７０）とを一体に備え、前記本体（２７）を前記遊技盤（４）に装着した状態で前記前カバー（２８）を前記遊技盤（４）の前側に着脱自在に設けたことを特徴とする請求項１〜５の何れかに記載の組み合わせ遊技機。
【発明の詳細な説明】
【０００１】
【発明の属する技術分野】
本発明は、アレンジボール機、雀球遊技機等の組み合わせ遊技機に関し、多連入球口手段を遊技盤に対して前側から着脱できるようにしたものである。
【０００２】
【従来の技術】
組み合わせ遊技機、例えばアレンジボール機では、特開平１１−１９７２９６号公報に記載のように、遊技盤の遊技領域の下部に、横方向に一列状に配列された１６個の入球口等を有する多連入球口手段を装着している。
【０００３】
この従来の多連入球口手段は、遊技盤の装着孔に裏側から嵌合する横長状の本体と、遊技盤の前側に配置され且つ本体を前側から覆う前カバーとを備えている。そして、本体には、その前上部側から裏側に跨がって１６個の入球口と、各入球口に入球した遊技球を遊技盤の裏側へと案内する１６個の案内通路とが設けられると共に、入球口の下側に前側から入球検出手段用の保持枠が着脱自在に装着され、この保持枠に、各案内通路を通過する遊技球を検出する１６個の入球検出手段が設けられている。前カバーは１６個の入球口から成る入球口列側へと案内する転動部を一体に備え、本体を遊技盤に装着した状態で遊技盤に対して前側から着脱自在に設けている。
【０００４】
【発明が解決しようとする課題】
従来の多連入球口手段では、遊技盤の裏側に本体を、前側に前カバーを夫々装着しているため、多連入球口手段を遊技盤に組み付ける場合には、本体と前カバーとを遊技盤に対して両側から別々に取り付ける必要があり、組み立て、分解等の作業が煩雑になるという問題がある。また遊技機本体に装着後に多連入球口手段が故障したような場合には、前枠を開放して遊技盤を取り外す必要があり、故障等に際しての作業が煩わしくなるという問題もある。
【０００５】
本発明は、このような従来の問題点に鑑み、多連入球口手段を遊技盤に対して容易に装着でき、組み立て、分解等の作業を容易にできる組み合わせ遊技機を提供することを目的とする。
【０００６】
【課題を解決するための手段】
本発明は、左右方向に配列された複数個の入球口２５と、前記各入球口２５に入球した遊技球を遊技盤４の裏側へと案内する複数個の案内通路３４と、前記各入球口２５に対応して設けられ且つ該入球口２５に入球した遊技球を検出する複数個の入球検出手段３６とを含む多連入球口手段１７を前記遊技盤４に備えた組み合わせ遊技機において、前記各入球口２５、前記案内通路３４及び前記入球検出手段３６が設けられ且つ少なくとも一部が前記遊技盤４の装着孔２６に前側から着脱自在に嵌合する本体２７と、前記遊技盤４の前側に配置され且つ前記本体２７を前側から覆う前カバー２８とを備え、前記本体２７は、該本体２７内からの配線を前記遊技盤４の裏側へと挿通する配線ダクト３８と、該本体２７の左右両側の側壁部４３及び下壁部４４の前側から外側へと屈曲して前記遊技盤４に前側から当接する前壁部４６と、該前壁部４６の周囲から前側に突出する補強枠部４７とを一体に備え、前記前壁部４６の左右両側及び中央部の複数箇所に、前記前壁部４６から後方に突出し且つ前記遊技盤４の圧入孔６８に前側から圧入される圧入ピン６７と、前記前壁部４６から前方に突出し且つ前記前カバー２８がネジ７２により取り付けられるボス部７３とを前後に対応させて前記前壁部４６と一体に形成し、前記多連入球口手段１７を前記遊技盤４に前側から装着したものである。
【０００７】
【発明の実施の形態】
以下、本発明の各実施形態を図面に基づいて詳述する。図１〜図１１は本発明をアレンジボール機に採用した第１の実施形態を例示し、図１において、１は遊技機本体で、外枠２と、この外枠２に開閉自在に枢着された前枠３とを有する。前枠３には、遊技盤４が裏側から着脱自在に装着され、この遊技盤４の前側にガラス扉５と前面板６とが開閉自在に配置されている。前面板６には、発射用の遊技球を貯留する上皿７が装着されている。前枠３の下部には、余剰球を貯留する下皿８と、発射手段９の発射ハンドル１０とが夫々設けられている。
【０００８】
発射手段９は、発射レール１１上の発射位置にある遊技球を発射方向に打撃する打撃槌１２と、打撃槌１２を打撃方向に付勢するバネ（図示省略）と、カム機構１３を介して打撃槌１２を駆動する発射モータ１４とを備え、遊技者が発射ハンドル１０を操作したときに発射モータ１４が打撃槌１２を駆動して、上皿７から発射レール１１上に１個ずつ供給される遊技球を打撃槌１２により打撃し、単位ゲーム毎に所定数（例えば１６個）の遊技球を遊技盤４の遊技領域１５（図２参照）側へと発射するようになっている。
【０００９】
遊技盤４の前面には、図２に示すように、ガイドレール１６が環状に装着されると共に、ガイドレール１６の内側の遊技領域１５の下部に多連入球口手段１７が配置され、また多連入球口手段１７の上側に遊技図柄表示手段１８、作動口手段１９、増加入球手段２０、遊技図柄始動手段２１、作動手段２２，２３、普通入球手段２４ａ，２４ｂ等の各遊技部品が配置されている。
【００１０】
多連入球口手段１７は、遊技盤４の前側で複数個、例えば１６個の入球口２５が横一列状に配列され且つ一部が遊技盤４の装着孔２６に嵌合する横長状の本体２７、この本体２７を前側から覆う前カバー２８等を備え、遊技盤４に対して前側から着脱自在に装着されている（図４参照）。また多連入球口手段１７には、遊技球の入球位置を表示する入球表示手段２９、得点を表示する得点表示手段３０等が設けられている。
【００１１】
遊技図柄表示手段１８は、遊技図柄始動手段２１が遊技球を検出することを条件に１個又は複数個、例えば３個の遊技図柄１８ａ〜１８ｃが変動するようになっている。遊技図柄１８ａ〜１８ｃには、数字図柄、アルファベット図柄、キャラクター、その他の図柄を使用可能であり、この実施形態では０〜９までの１０種類の数字図柄が使用されている。
【００１２】
作動口手段１９は、遊技図柄表示手段１８の変動後の遊技図柄１８ａ〜１８ｃが特別態様（全てが「７・７・７」等のように同種図柄となる等の特定図柄の組み合わせ）となった場合に、所定単位ゲーム数（例えば３ゲーム）が経過し又は遊技球が所定個数（例えば１個）入球するまで開放する開閉板３１を備え、また内部が例えば３個の通路に区画されており、その１個、例えば中央の通路が作動領域３２に設定されている。なお、作動領域３２を遊技球が通過すると、特別遊技状態となり、作動手段２２，２３が有効となる。作動口手段１９には、作動領域３２を通過した遊技球を検出する通過検出手段が設けられている。
【００１３】
増加入球手段２０は、有効状態にある作動手段２２，２３が遊技球を検出することを条件に所定単位ゲーム数（例えば１ゲーム）が経過し又は遊技球が所定個数（例えば１個）入球するまで開放する開閉体３３を備えている。増加入球手段２０に遊技球が入球すると、その単位ゲームにおける得点が増加（例えば２倍）され、払い出される賞球の個数が増加（例えば２倍）するようになっている。
【００１４】
なお、作動口手段１９、増加入球手段２０、遊技図柄始動手段２１、作動手段２２，２３、普通入球手段２４ａ，２４ｂは、遊技盤４の前側で入球した遊技球を遊技盤４の裏側に誘導するように構成され、これらに遊技球が入球した場合に、それに対応する１個又は複数個の入球口２５への遊技球の入球と同等に取り扱われるようになっている。
【００１５】
多連入球口手段１７は、図３〜図９に示すように少なくとも一部が遊技盤４の装着孔２６に嵌合された本体２７と、遊技盤４の前側に突出し且つ本体２７の上部前側に横一列状に配置された左右方向に複数個、例えば１６個の入球口２５と、各入球口２５に対応して本体２７の上部に前後方向に設けられ且つ各入球口２５に入球した遊技球を遊技盤４の裏側へと案内して落下させる１６個の案内通路３４と、各入球口２５に対応して本体２７に設けられ且つ各入球口２５に入球した遊技球を、その遊技球が案内通路３４の後端側の落下部３５から落下するときに検出する１６個の入球検出手段３６と、遊技盤４の前側に配置され且つ本体２７を前側から覆う前カバー２８と、本体２７とその裏側の裏板４８との間に設けられ且つ各入球検出手段３６を通過した遊技球が下方へと落下する落下通路３７と、本体２７に設けられ且つ落下通路３７の下部を前後方向に横切る配線ダクト３８と、配線ダクト３８の上側に配置され且つ落下通路３７の遊技球を左右方向に案内する案内壁３９とを備え、遊技盤４の装着孔２６に嵌合した状態で遊技盤４に前側から着脱自在に装着されている。また多連入球口手段１７には、入球表示手段２９、得点表示手段３０、エラー表示手段４０等が設けられている。
【００１６】
本体２７は前側が開放する内部空間４１を有する横長状であって、周方向に連続状に形成された上壁部４２、側壁部４３及び下壁部４４と、この上壁部４２、側壁部４３及び下壁部４４の後側を塞ぐ後壁部４５と、上壁部４２、側壁部４３及び下壁部４４の前側から外側に屈曲する前壁部４６と、前壁部４６の周囲に形成された補強枠部４７とを一体に備え、少なくとも一部、例えば上壁部４２、側壁部４３及び下壁部４４が遊技盤４の装着孔２６に前側から嵌合され、前壁部４６が遊技盤４に前側から当接されている。なお、上壁部４２と側壁部４３とにより嵌合胴部が構成されている。
【００１７】
上壁部４２はその前側から前上方に突出する入球傾斜部４９と、この入球傾斜部４９側から上壁部４２の上側を経て後壁部４５の裏側へと突出する前後方向の仕切り板５０とを一体に有する。仕切り板５０は上壁部４２の上側を左右方向に１６個の入球口２５とその後側の案内通路３４とに区画するためのもので、左右方向に所定間隔をおいて１７個設けられている。各入球口２５は入球傾斜部４９の上側に設けられ、遊技盤４の前側で横方向に一列状に配列されている。入球傾斜部４９は１６個の入球口２５から成る入球口列６１に対応してその左右方向の全長にわたって設けられている。各案内通路３４は、入球口２５から入球した遊技球を遊技盤４の裏側に案内して、その後端側の落下部３５から後壁部４５に沿って落下通路３７へと落下させるようになっている。
【００１８】
入球検出手段３６は、図３及び図７に示すように、本体２７の後壁部４５の上部側に上下２列に左右方向に千鳥状に近接して配置されている。各入球検出手段３６は、球通過孔３６ａが後壁部４５と裏板４８との間で各案内通路３４の落下部３５に対応するするように、本体２７の後壁部４５に形成された嵌合孔５１と、裏板４８に形成された保持凹部５２とに跨がって前側から着脱自在に挿入され、後壁部４５の前側に配置された押さえ体５３により保持されている。押さえ体５３は各入球検出手段３６の後壁部４５から前側部分が嵌合する嵌合凹部５４を千鳥状に有し、上壁部４２の下側近傍で左右両側のボス部５５を介してネジ５６等により後壁部４５に着脱自在に固定されている。なお、押さえ体５３は左右に複数個、例えば２個に分割されている。ボス部５５は後壁部４５から前側に突出している。
【００１９】
配線ダクト３８は、図３、図４、図７及び図９に示すように上側の背面視山形状の案内壁３９と、この案内壁３９の下側を閉塞する下閉塞壁５７とによって構成され、本体２７の後壁部４５の左右方向の略中央部から後方へと一体に突設されている。また配線ダクト３８は、所定の広幅状のフラットケーブル、その他の配線５８〜６０を挿通できるように、上下方向に比して左右方向に長い偏平筒状になっており、その左右方向の長さは入球検出手段３６の複数個分の装着幅に対応している。
【００２０】
裏板４８は上板部４８ａが入球検出手段３６の下側近傍の屈曲部４８ｂの前側から上方に、下板部４８ｃが屈曲部４８ｂの後側から下方に夫々屈曲するように、上下方向の中間の屈曲部４８ｂを介して前後に段違い状に構成され、仕切り板５０及び案内壁３９に裏側から当接して、本体２７の前壁部４６から後側に突出する左右一対のボス部６２と案内壁３９とに裏側からネジ６２ａ，３９ａ等により着脱自在に装着されている。本体２７の後壁部４５と裏板４８の上板部４８ａとの間に各案内通路３４の落下部３５が、後壁部４５と下板部４８ｃとの間に落下通路３７が夫々形成されている。なお、落下通路３７の前後幅は落下部３５の前後幅よりも大きく、約２倍程度になっている。屈曲部４８ｂは裏板４８の左右方向の略全長に設けられている。
【００２１】
案内壁３９は配線ダクト３８の上側で本体２７の後壁部４５から後方に突出し、また下閉塞壁５７は下壁部４４に沿って後方に突出している。案内壁３９は、遊技球を遊技盤４の裏側に沿って左右方向へと案内する傾斜案内部６３と、入球検出手段３６を通過して落下する遊技球を遊技盤４の裏側から離間する方向へと案内する傾斜部６４とを有する。傾斜案内部６３は案内通路３４の落下部３５よりも後側で裏板４８の屈曲部４８ｂの下側に所定の間隔をおいて配置され、この傾斜案内部６３と本体２７の後壁部４５との間に、案内通路３４の落下部３５に対応して傾斜部６４が配置されている。傾斜部６４は入球検出手段３６を通過して落下した遊技球が案内壁３９に衝突した際に、その入球検出手段３６側への跳ね上がりを防止するためのもので、傾斜案内部６３が外下がりに左右方向に傾斜しているのに対して、外下がりで且つ後下がり状に傾斜している。
【００２２】
前壁部４６は上壁部４２、側壁部４３及び下壁部４４の前側から外側に屈曲して遊技領域１５の下側に沿って略下弦三日月状に形成されており、この前壁部４６の周縁側には、入球傾斜部４９の前側を除く部分に、前側に突出する補強枠部４７が一体に設けられている。前壁部４６には、前カバー２８の左右の転動部６５の下側等の左右両端部、配線ダクト３８の下側の中央下部等の適当箇所に複数個の取り付け部６６が設けられ、この取り付け部６６を介して本体２７が前枠に着脱自在に装着されている。取り付け部６６は、前壁部４６から後方に突出する圧入ピン６７により構成され、その圧入ピン６７が遊技盤４の圧入孔６８に前側から圧入されている。なお、取り付け部６６は圧入ピン６７以外のネジ孔等により構成しても良い。補強枠部４７は入球口列６１の左右両側で前壁部４６の上側に設けられた傾斜補強部４７ａと、この左右の傾斜補強部４７ａの外側から前壁部４６の下縁に沿って設けられた下縁補強部４７ｂとを有する。
【００２３】
前カバー２８は、本体２７及びその内部空間４１を前側から覆う前装飾部７０と、遊技領域１５の左右両側に落下する遊技球を入球口列６１側へと案内する左右一対の転動部６５とを一体に備えている。前装飾部７０は本体２７の前壁部４６に対応する略下弦三日月状に形成され、下側に円弧状の下縁部７１を一体に備えている。転動部６５は入球口列６１の左右両側で前装飾部７０の上端から遊技盤４側に屈曲し、入球口列６１側へと傾斜している。
【００２４】
そして、前壁部４６は、各転動部６５が補強枠部４７の傾斜補強部４７ａの上側に当接し、下縁部７１が補強枠部４７の下縁補強部４７ｂに嵌合して、遊技盤４に装着された状態の本体２７に対して前側から複数個のネジ７２等で着脱自在に装着されている。ネジ７２は、各圧入ピン６７と前後に対応して前壁部４６に一体に形成されたボス部７３に前装飾部７０を貫通して螺合されている。
【００２５】
入球表示手段２９は入球口列６１の入球口２５の何れかに遊技球が入球した場合に、その遊技球の入球位置を表示するためのもので、多連入球口手段１７の各入球口２５に対応してその下側近傍に配置された１６個の入球表示部７５と、この各入球表示部７５に対応してその裏側に配置された入球表示素子７６と、この各入球表示素子７６が設けられ且つ本体２７に装着された入球表示基板７７とを備えている。
【００２６】
各入球表示部７５は前カバー２８に装着された左右方向の入球表示板７８に横一列状に形成され、前カバー２８側に設けられている。また入球表示部７５には、左右方向の一端側から順次「１」〜「１６」の数字を付す等、適当な識別標識が付されている。入球表示板７８は、入球傾斜部４９の下側で入球口列６１に沿って前カバー２８の前装飾部７０に形成された切り欠き部７９に前装飾部７０の裏側から嵌合され、裏側の遮光体８０と前カバー２８との間に挟持されている。なお、入球表示板７８は入球傾斜部４９と前カバー２８との間を塞ぐように入球口列６１に沿って左右方向に配置されている。
【００２７】
各入球表示素子７６は遊技球が入球口２５に入球した場合に、それに対応する入球表示部７５を発光させるようにＬＥＤ、ランプ、その他の発光体により構成されており、入球表示基板７７の前面に横一列状に装着されている。入球表示基板７７は入球傾斜部４９の下側近傍で入球表示板７８と入球検出手段３６との間に配置され、前壁部４６から前側へと突出するボス部８１にネジ８１ａ等により着脱自在に取り付けられている。
【００２８】
遮光体８０には、入球表示素子７６の発光時にその光が隣接する入球表示部７５側等に漏れないように遮光するための遮光壁８２を有し、その遮光壁８２が各入球表示部７５と各入球表示素子７６とに対応して設けられている。遮光壁８２は入球傾斜部４９の下側で遮光体８０から前側に突出しており、遮光体８０は各遮光壁８２を介して入球表示板７８を裏側から挟み、左右両端側がネジ８０ａ等により前カバー２８のボス部２８ａに裏側から着脱自在に固定されている。遮光壁８２の前後は入球表示板７８、入球表示基板７７に当接又は近接しており、各入球表示素子７６が遮光壁８２間に入っている。
【００２９】
得点表示手段３０は各単位ゲームでの獲得得点を表示するためのもので、入球表示手段２９の下側で前カバー２８の左右方向の略中央等の適当箇所に配置されている。そして、この得点表示手段３０は、前カバー２８に設けられた得点表示部８３と、この得点表示部８３に対応してその裏側に配置された得点表示素子８４と、この得点表示素子８４が設けられ且つ本体２７に装着された得点表示基板８５とを備えている。
【００３０】
得点表示部８３は前カバー２８の前装飾部７０に開口状に形成され、この得点表示部８３に表示レンズ８６が裏側から嵌合されている。得点表示素子８４は７セグメント式、その他の表示素子により構成され、得点表示基板８５の前側上部に装着されている。表示レンズ８６は得点表示素子８４を覆うように得点表示基板８５に取り付けられている。得点表示基板８５は、入球表示基板７７の下側で前カバー２８の前装飾部７０の裏側に配置され、後壁部４５及び前壁部４６から前側に突出するボス部８７にネジ８７ａ等で着脱自在に固定されている。表示レンズ８６は前カバー２８の得点表示部８３側に設けても良い。
【００３１】
得点表示基板８５には必要に応じてエラー表示手段４０が設けられている。このエラー表示手段４０は、得点表示素子８４の一側方で得点表示基板８５に装着された複数個のＬＥＤ、ランプ、その他の発光性のエラー表示素子８９を備え、前カバー２８の裏側から前装飾部７０を発光させて、そのエラー表示素子８９の発光数の違いにより複数種類のエラーを種類別に表示できるようになっている。なお、エラー表示素子８９は上下方向に所定間隔をおいて左右に二列配置され、その各列毎に別のエラーを表示するようになっている。前カバー２８の前装飾部７０は、少なくとも各エラー表示素子８９に対応する部分が透明、その他で発光可能になっている。エラー表示手段４０は省略しても良い。
【００３２】
入球検出手段３６を押さえる押さえ体５３の下側で得点表示基板８５と後壁部４５との間には入球検出基板９０が配置され、後壁部４５から前側に突出するボス部９１にネジ９１ａ等で着脱自在に固定されている。入球検出基板９０の前側上部には、各入球検出手段３６に対応するコネクタ９２が装着され、その各コネクタ９２にリード線９３を介して各入球検出手段３６が接続されている。本体２７の内部空間４１内の入球表示基板７７、得点表示基板８５、入球検出基板９０には、その前側又は後側に外部接続用のコネクタ９４〜９６が装着され、そのコネクタ９４〜９６に接続されたリード線、フラットケーブル等の配線５８〜６０が配線ダクト３８内を経て本体２７から裏側へと導出されている。
【００３３】
各配線５８〜６０は、図１０に示すように接続されている。入球検出基板は９０は配線６０を介して主制御基板９８に接続され、各入球検出手段２５からの入球検出情報を、遊技動作の制御を司る主制御基板９８側の主制御手段９９に送るようになっている。入球表示基板７７は配線５８を介して図柄制御基板１００に接続されている。図柄制御基板１００は主制御手段９９からの入球表示コマンドに基づいて、その入球表示コマンドに対応する入球表示素子７６を発光させる入球表示制御用の入球表示制御手段１０１を有する。得点表示基板８５は配線５９を介してランプ制御基板１０２に接続されている。ランプ制御基板１０２は、主制御手段９９からの入得点示コマンドに基づいて得点表示素子８４に得点を表示させる得点表示制御用の得点表示制御手段１０３と、主制御手段９９からのエラー点示コマンドに基づいてエラー表示素子８９にエラーを表示させるエラー表示制御用のエラー表示制御手段１０４とを有する。主制御基板９８、図柄制御基板１００、ランプ制御基板１０２は、遊技盤４の裏側等、遊技機本体１の裏側の適当箇所にケースに収納して装着されている。
【００３４】
次に上記構成のアレンジボール機における動作を説明する。ゲームに際して、遊技者が発射手段９の発射ハンドル１０を把持して操作すると、発射手段９の発射モータ１４が作動して、上皿７から発射レール１１上に１個づつ供給される遊技球を打撃槌１２が打撃し、その遊技球を遊技盤４のガイドレール１６を経て遊技領域１５へと案内する。なお、発射手段９は、各単位ゲーム毎に所定数の１６個の遊技球を遊技領域１５へと打ち込む。
【００３５】
遊技領域１５に打ち込まれた遊技球は、遊技盤４の盤面に沿って落下し、遊技図柄始動手段２１、普通入球手段２４ａ，２４ｂ等に入球するか、又はその下側の多連入球口手段１７の何れかの入球口２５へと入球する。なお、遊技領域１５の左右両側の遊技球は、前カバー２８の転動部６５上に落下し、この転動部６５上を入球口列６１側へと転動して、何れかの入球口２５に入球する。
【００３６】
多連入球口手段１７の何れかの入球口２５に入球した遊技球は、入球口２５から案内通路３４を経て遊技盤４の裏側へと案内され、落下部３５から下方の落下通路３７へと落下する。そして、落下中の遊技球が入球検出手段３６の球通過孔３６ａを通過するときに、入球検出手段３６が入球口２５への遊技球の入球を検出する。入球検出手段３６を通過した遊技球はそのまま下方の落下通路３７へと落下し、落下通路３７から遊技盤４の裏側の集合樋（図示省略）等を経て遊技機本体１外の回収装置へと回収されて行く。
【００３７】
遊技球が各案内通路３４の落下部３５から落下通路３７を経て落下する場合、左右方向の１６個の案内通路３４の内、その両端側の３〜４個程度の案内通路３４を除く中央側の複数個の案内通路３４の落下部３５の下方には、配線ダクト３８の上側を覆う山形状の案内壁３９があるため、この案内壁３９上に落下して、遊技盤４の裏側に沿って左右方向の何れかに振り分けられる。
【００３８】
案内壁３９では、案内通路３４の落下部３５からの遊技球が案内壁３９の傾斜部６４に衝突し、この傾斜部６４の傾斜によって、遊技盤４から離間するように裏板４８側へと外斜め後方へと案内されて、裏板４８に衝突するか又は衝突せずに傾斜案内部６３へと移動し、その傾斜案内部６３上を転動して落下する。従って、入球検出手段３６の下側近傍の落下通路３７中に、その落下通路３７を前後に横切るように配線ダクト３８を覆う案内壁３９があるにも拘らず、案内壁３９上に落下し衝突した遊技球が入球検出手段３６側へと跳ね返って、遊技球の通過直後にその入球検出手段３６が再度遊技球を検出したり、その近傍の入球検出手段３６が通過後の遊技球を検出したりする誤検出を防止できる。
【００３９】
入球検出手段３６が入球口２５への遊技球の入球を検出すると、その検出信号が入球検出基板９０等を介して主制御手段９９へと送られ、主制御手段９９側で入球処理が行われる。そして、主制御手段９９側で入球処理があれば、入球表示手段２９の入球表示基板７７が、主制御手段９９からの入球表示コマンドに基づいて入球口２５に対応する入球表示素子７６を発光させるので、その入球表示素子７６の発光により入球表示部７５が特定表示に変化し、この入球表示部７５の特定表示により入球口２５への遊技球の入球を表示する。
【００４０】
入球口２５の何れかに入賞役の成否の判定に必要な４個以上の遊技球が入球すると、主制御手段９９側で入賞役の成否の判定を行い、特定表示状態の入球表示部７５が所定の組み合わせとなって入賞役が成立すれば、得点表示基板８５が主制御手段９９からの得点表示コマンドに基づいて得点表示素子８４を制御し、得点表示手段３０がその得点を表示する。一方、主制御手段９９からの払い出しコマンドにより、払い出し手段が得点に応じた遊技球を賞球として払い出す。
【００４１】
遊技図柄始動手段２１に遊技球が入球すると、遊技図柄表示手段１８の遊技図柄１８ａ〜１８ｃが所定時間変動して、特別態様と非特別態様との何れかで停止する。そして、変動後の遊技図柄１８ａ〜１８ｃが特別態様で停止すると、作動口手段１９の開閉板３１が開放して、上方から落下する遊技球を作動口内へと誘導する。作動口手段１９に入球した遊技球が作動領域３２を通過すれば、通過検出手段がその遊技球の通過を検出し、その後の所定ゲーム数に亘って継続的に特別遊技状態が発生する。
【００４２】
特別遊技状態の発生中は作動手段２２，２３が有効になり、この作動手段２２，２３に遊技球が入球すると、増加入球手段２０の開閉体３３が開放する。そして、増加入球手段２０に遊技球が入球すると、その単位ゲーム中に獲得した得点が例えば２倍に増加し、得点表示手段３０の得点表示が２倍になる。
【００４３】
多連入球口手段１７の組み立てに際しては、先ず本体２７の各嵌合孔５１等に前側から各入球検出手段３６を挿入し、その後に押さえ体５３を後壁部４５に固定して、押さえ体５３で各入球検出手段３６を押さえる。これによって多数の入球検出手段３６が確実に固定できる。なお、各入球検出手段３６は、押さえ体５３の嵌合凹部５４を通るリード線９３を介してその下側で後壁部４５に固定された入球検出基板９０に接続する。
【００４４】
次に得点表示素子８４、表示レンズ８６等が装着された得点表示基板８５を、入球検出基板９０の前側に配置して後壁部４５に固定し、続いて得点表示基板８５の前側に入球表示基板７７を配置して後壁部４５に固定する。これによって本体２７の後壁部４５側に各入球検出手段３６を容易に組み込み得ると共に、本体２７の内部空間４１内に入球表示基板７７、得点表示基板８５、入球検出基板９０等を収容でき、全体をコンパクトに構成できる。
【００４５】
入球表示基板７７、得点表示基板８５、入球検出基板９０の各配線５８〜６０は配線ダクト３８を経て本体２７の裏側へと導出する。配線ダクト３８は本体２７の内部空間４１の後側下部にあるため、短い距離で配線５８〜６０を配線ダクト３８から引き出すことができ、しかも入球表示基板７７、得点表示基板８５、入球検出基板９０の相互の位置関係から、本体２７の内部空間４１内での配線５８〜６０の錯綜を防止できる。入球表示基板７７、得点表示基板８５、入球検出基板９０は、配線５８〜６０を配線ダクト３８に挿通してから固定しても良い。本体２７の内部空間４１側から配線ダクト３８に配線５８〜６０を挿通する場合、配線ダクト３８の下側の下閉塞壁５７が下壁部４４から後方に連続して形成され、しかも案内壁３９の前側の傾斜部６４によって配線ダクト３８の前側が前広がり状になっているので、配線５８〜６０を配線ダクト３８に容易に通すことができる。
【００４６】
前カバー２８側には予め入球表示板７８、遮光体８０等を取り付けておく。そして、図１１に示すように本体２７側及び前カバー２８側の夫々の組み立てが完了すれば、前カバー２８を本体２７の前側に組み合わせて、この前カバー２８をネジ７２等でボス部７３に固定する。これによって前カバー２８側の入球表示部７５と、本体２７側の入球表示基板７７の入球表示素子７６とが前後に対応し、また得点表示素子８４の表示レンズ８６が前カバー２８の得点表示部８３に嵌合し、入球表示手段２９、得点表示手段３０等が組み込まれた多連入球口手段１７が完成する。
【００４７】
入球表示板７８の入球表示部７５と入球表示基板７７との間に、遮光壁８２を有する遮光体８０を介在し、上下、左右の隣接する遮光壁８２間に入球表示手段２９の各入球表示素子７６が入っているので、入球表示板７８が前カバー２８側に、入球表示素子７６を含む入球表示基板７７が本体２７側にあるにも拘らず、入球表示素子７６が発光したときの光の外部への漏れを防止できる。
【００４８】
多連入球口手段１７の組み立てが完了すれば、各圧入ピン６７を遊技盤４の前側から圧入孔６８に合わせ、前壁部４６が遊技盤４の前面に当接するまで圧入ピン６７を圧入する。これによって本体２７の上壁部４２等が遊技盤４の装着孔２６に嵌合し、多連入球口手段１７を遊技盤４の所定位置に装着できる。また圧入ピン６７を遊技盤４の圧入孔６８に圧入する場合、前カバー２８の取り付け用のボス部７３と圧入ピン６７とが前壁部４６の前後に対応しているので、ボス部７３に対応する部分で前カバー２８を押圧すれば良い。従って、圧入時の本体２７、前カバー２８等の損傷を防止しながら、多連入球口手段１７を圧入により遊技盤４に容易に装着できる。
【００４９】
多連入球口手段１７に故障等が生じた場合には、ネジ７２を外せば前カバー２８を本体２７から取り外すことができるので、本体２７を圧入ピン６７で遊技盤４に装着した状態のままで、本体２７の内部空間４１側の入球表示基板７７、得点表示基板８５、或いは後壁部４５側の各入球検出手段３６等の修理を容易にできる。また入球表示基板７７、得点表示基板８５、入球検出手段３６等が本体２７側にあり、この本体２７に対して前カバー２８が着脱自在であるため、前カバー２８の交換等が容易であり、多連入球口手段１７のデザインの変更を容易にできると共に、入球表示基板７７、得点表示基板８５、入球検出手段３６等を含む本体２７側の再利用等も容易にできる。更に前カバー２８側に転動部６５があるため、転動部６５が損傷した場合の交換も容易にできる。
【００５０】
多連入球口手段１７を遊技盤４から取り外す場合には、本体２７の圧入ピン６７を遊技盤４の圧入孔６８から抜き取れば良い。従って、多連入球口手段１７の装着方式が圧入式であることと相まって、組み立て、交換等に当たっての多連入球口手段１７の遊技盤４に対する着脱が非常に容易であり、例えば遊技機本体１に遊技盤４を取り付けた状態で多連入球口手段１７を前側から着脱することも可能である。
【００５１】
図１２は本発明の第２の実施形態を例示する。この実施形態では、前カバー２８の前装飾部７０に、７セグメント式等の同種類の得点表示手段３０とエラー表示手段４０とが配置されている。このように前カバー２８に得点表示手段３０とエラー表示手段４０とを設ける場合には、その表示素子に７セグメント式を採用する等、同種の表示形態を採用しても良い。
【００５２】
以上、本発明の実施形態について詳述したが、本発明はこの実施形態に限定されるものではなく、本発明の趣旨を逸脱しない範囲内で種々の変更が可能である。例えば実施形態では本体２７を一体に構成しているが、本体２７を遊技盤４に対して前側から着脱できる構造であれば、本体２７を前後方向の複数個に分割しても良い。また本体２７を圧入方式で遊技盤４に取り付けるようにしているが、圧入ピン６７を省略してネジ等で遊技盤４に取り付けるようにしても良い。圧入方式で本体２７を遊技盤４に取り付ける場合にも、その圧入ピン６７は前壁部４６にネジで固定する等、他の構造を採用しても良い。
【００５３】
入球表示手段２９はその入球表示部７５を前カバー２８側に設ける等、多連入球口手段１７に組み込むのが望ましいが、多連入球口手段１７から分離して設けることも可能である。その場合、遊技図柄表示手段１８に液晶表示式のものを採用し、その表示領域の一部を入球表示手段２９として利用しても良い。
【００５４】
入球検出手段３６はそのリード線９３を本体２７の裏側に引き出すように、本体２７に対して裏側から着脱自在に設けても良い。その場合、後壁部４５に保持凹部５２を、裏板４８に嵌合孔５１を夫々形成して、押さえ体５３を裏板４８の裏側に着脱自在に装着すれば良い。
【００５５】
前カバー２８は本体２７に対して前側から着脱自在であれば良い。従って、必ずしも傾斜補強部４７ａ、下縁補強部４７ｂ等を含む外周縁が前カバー２８の転動部６５等の外周形状に対応する前壁部４６を本体２７に一体に設ける必要はない。本体２７を遊技盤４に対して前側から着脱自在に取り付ける取り付け部６６が本体２７側にあり、その本体２７に対して前カバー２８が前側から着脱できる構造になっておれば十分である。前カバー２８はそのデザインの変更、部品のリサイクル等を目的として本体２７に対して前側から着脱するようにしても良い。また本体２７の遊技盤４に対する取り付け部６６と、本体２７に対する前カバー２８の取り付け部６６とは異なる位置に設けても良い。
【００５６】
入球表示手段２９、得点表示手段３０、エラー表示手段４０等は、表示素子７６，８４，８９を備えた表示基板７７，８５を前カバー２８の裏側に取り付けても良い。また実施形態のように入球表示手段２９、得点表示手段３０等を上下に配置する場合には、両者の表示基板７７，８５を共通にして、１個の表示基板に入球表示素子７６、得点表示素子８４等を装着しても良い。入球表示手段２９の入球表示板７８は入球表示素子７６と共に入球表示基板７７の前側に取り付けて、前カバー２８側に、その入球表示板７８が前面に露出する開口部、その他の表示窓を設けても良い。また入球表示手段２９、得点表示手段３０及び／又はエラー表示手段４０は前カバー２８、その他に対して前側から着脱自在に設けても良い。
【００５７】
本体２７は、装着孔２６に嵌合する上壁部４２及び下壁部４４と、上壁部４２及び下壁部４４の後側の後壁部４５と、上壁部４２及び下壁部４４の前側から外側に屈曲し且つ遊技盤４の前側に当接する前壁部４６とを一体に備えた構造にすれば、本体２７の各部の肉厚を薄く構成しながらも本体２７全体の強度を確保でき、本体２７の合成樹脂材料による成型等を容易にできるが、後壁部４５を省略するか、後壁部４５に開口を設けて、その部分に、複数個の入球検出手段３６が装着された保持枠を着脱自在に取り付けるようにしても良い。本体２７の傾斜補強部４７ａを遊技球の転動部６５として、前壁部４６側の転動部６５を省略しても良い。
【００５８】
入球口２５側に入球検出手段３６を設ける場合には、入球後の遊技球を遊技盤４の裏側に案内する案内通路３４を複数個の入球口２５に対応して複数個設ける必要はない。実施形態では複数個の入球口２５の全てを横一列状に配置して入球口列６１を構成しているが、複数個の入球口２５の内、その一部の多くの入球口２５を横一列状に配置し、残りの一部の１個又は複数個の入球口２５を、横一列状の入球口列６１の左右両側で且つ入球口列６１よりも若干高い位置に配置しても良い。この場合には、転動部６５はその外側に短く設けるか、省略できる。
【００５９】
実施形態では案内壁３９は遊技球を左右両側に振り分けて案内するように、左右が略対称な背面視山形状に構成しているが、頂部が左右方向の一方に偏位する背面視ヘ字状、又は頂部が左右方向の一端にある片流れ傾斜状に構成しても良い。また案内壁３９は遊技球を遊技盤４の裏側に沿って左右方向に案内する構造の他、遊技球を後方に案内する構造にしても良い。これらの何れの場合にも、傾斜部６４は案内壁３９の前部で案内通路３４の落下部３５に対応するように配置すれば良い。特に案内壁３９が遊技球を後方に案内する構造の場合には、傾斜部６４は後下がりに傾斜させることにより、入球検出手段３６側への遊技球の跳ね上がりを防止できる。
【００６０】
案内壁３９の傾斜部６４は、入球検出手段３６から落下する遊技球が入球検出手段３６側へと跳ね上がらないように、その傾斜によって遊技球を所定方向へと案内する機能があれば十分である。案内壁３９が遊技球を後方に案内する構造のものでは、傾斜部６４は後下がりに傾斜させる等、傾斜部６４の傾斜方向は、案内壁３９の遊技球の案内方向によって適宜決定すれば良い。複数個の入球検出手段３６は横一列状に設けても良い。
【００６１】
裏板４８は上板部４８ａが屈曲部４８ｂの前側から上方に屈曲し、下板部４８ｃが屈曲部４８ｂの後側から下方に屈曲する前後に段違い状に構成しているが、上板部４８ａと下板部４８ｃとが湾曲部を介して滑らかに屈曲する構造でも良い。また屈曲部４８ｂは下側の入球検出手段３６よりも下側にあることが望ましいが、本体２７側で各入球検出手段３６の保持が可能であり、しかも裏板４８の上板部４８ａ側で落下部３５からの遊技球を入球検出手段３６側に案内できるならば、上側又は下側の入球検出手段３６と略同じ高さに配置する等、入球検出手段３６の近傍にあれば良い。
【００６２】
配線ダクト３８は案内壁３９の下側にあれば良い。従って、配線ダクト３８の上壁を案内壁３９とする他、配線ダクト３８の上側に所定の間隔をおいて案内壁３９を設けても良い。また配線５８〜６０を左右両側から本体２７の裏側に引き出す場合には、案内壁３９、配線ダクト３８は左右に配置しても良い。案内壁３９はその下側の部材と接触又は干渉しないように遊技球を案内するためのものであり、その下側には配線ダクト３８以外のものを設けても良い。
【００６３】
更に実施形態ではアレンジボール機について例示しているが、アレンジボール機の他、雀球遊技機等の各種の組み合わせ遊技機でも同様に実施できることはいうまでもない。また遊技媒体としてメダルを用いるメダル投入式、発射手段９と遊技盤４側との間で遊技球を循環させる循環式等でも良い。
【００６４】
【発明の効果】
本発明では、各入球口２５、案内通路３４及び入球検出手段３６が設けられ且つ少なくとも一部が遊技盤４の装着孔２６に前側から着脱自在に嵌合する本体２７と、遊技盤４の前側に配置され且つ本体２７を前側から覆う前カバー２８とを備え、本体２７は、該本体２７内からの配線を遊技盤４の裏側へと挿通する配線ダクト３８と、該本体２７の左右両側の側壁部４３及び下壁部４４の前側から外側へと屈曲して遊技盤４に前側から当接する前壁部４６と、該前壁部４６の周囲から前側に突出する補強枠部４７とを一体に備え、前壁部４６の左右両側及び中央部の複数箇所に、前壁部４６から後方に突出し且つ遊技盤４の圧入孔６８に前側から圧入される圧入ピン６７と、前壁部４６から前方に突出し且つ前カバー２８がネジ７２により取り付けられるボス部７３とを前後に対応させて前壁部４６と一体に形成し、多連入球口手段１７を遊技盤４に前側から装着しているので、多連入球口手段１７を遊技盤４に対して容易に装着でき、組み立て、分解等の作業を容易にできる利点がある。
【図面の簡単な説明】
【図１】本発明の第１の実施形態を示すアレンジボール機の正面図である。
【図２】本発明の第１の実施形態を示す遊技盤の正面図である。
【図３】本発明の第１の実施形態を示す多連入球口手段の一部破断正面図である。
【図４】本発明の第１の実施形態を示す多連入球口手段の縦断面図である。
【図５】本発明の第１の実施形態を示す多連入球口手段の横断面図である。
【図６】本発明の第１の実施形態を示す多連入球口手段の横断面図である。
【図７】本発明の第１の実施形態を示す多連入球口手段の背面図である。
【図８】本発明の第１の実施形態を示す多連入球口手段の分解一部破断平面図である。
【図９】本発明の第１の実施形態を示す多連入球口手段の裏側の要部斜視図である。
【図１０】本発明の第１の実施形態を示す制御系のブロック図である。
【図１１】本発明の第１の実施形態を示す多連入球口手段の分解縦断面図である。
【図１２】本発明の第２の実施形態を示す遊技盤の正面図である。
【符号の説明】
４  遊技盤
１７  多連入球口手段
２５  入球口
２６  装着孔
２７  本体
２８  前カバー
２９  入球表示手段
３０  得点表示手段
３４  案内通路
３６  入球検出手段
４１  内部空間
４２  上壁部（嵌合胴部）
４３  側壁部（嵌合胴部）
４５  後壁部
４６  前壁部
６１  入球口列
６５  転動部
６６  取り付け部
７０  前装飾部
７５  入球表示部
７６  入球表示素子
７７  入球表示基板
８３  得点表示部
８４  得点表示素子
８５  得点表示基板
【図１】
0003809104.tif 000002
【図２】
0003809104.tif 000003
【図３】
0003809104.tif 000004
【図４】
0003809104.tif 000005
【図５】
0003809104.tif 000006
【図６】
0003809104.tif 000007
【図７】
0003809104.tif 000008
【図８】
0003809104.tif 000009
【図９】
0003809104.tif 000010
【図１０】
0003809104.tif 000011
【図１１】
0003809104.tif 000012
【図１２】
0003809104.tif 000013